(57)【特許請求の範囲】
【請求項１】
下地材側に所定間隔を存して互いに平行に溝を複数設け、該溝に雨水を案内するための凹入部を有する長尺状のガーターを嵌合固定配置し、前記下地材上に複数の長尺帯状の外囲板をその側部が隣接する外囲板の側部と前記ガーター内で所定の間隔を存して対向するように配置し、前記下地材側に前記外囲板を支える板端受け部を有する吊子を固定し、該吊子に前記ガーター内に位置させて係止片を設け該係止片に前記外囲板の側部を係合し、前記外囲板の側部上に蓋体を配置し、該蓋体に栓体を設け、該栓体を前記外囲板の側部間に密嵌配置し、前記外囲板の平坦面と前記蓋体の上面とで略平坦な外囲面を形成する外囲体において、前記蓋体上に保持具を配置し、該保持具を前記蓋体にビス止めし、前記保持具に構造物を構築したことを特徴とする構造物を搭載したフラット状外囲体。
【発明の詳細な説明】
【０００１】
【発明の属する技術分野】
本発明は、太陽電池バネル、集熱パネルなどの構造物を搭載したフラット状の屋根、外壁等の外囲体に関する。
【０００２】
【従来の技術】
特開平９−１７７２７２号公報には、所定ピッチの凸部を有する屋根面に、住宅用ソーラー機器を取り付けるための構造が開示されている。
また、フラット状の外囲体については、特開２００２−４５１１号その他の公報に開示されている。
【０００３】
【発明が解決しようとする課題】
外囲面に凸部が形成されている外囲体については、その凸部に構造物の保持具を嵌合し、締め付け手段等により、保持具を固定することができる。しかるに、フラット形状の外囲面に対しては、保持具を取り付けるための凸部がなく、保持具を簡単に取り付けることができなかった。保持具を外囲板に直接ビス止めすると、そのビス止め部から雨水が浸入し雨水が下地材に回って雨漏りの原因となってしまうという問題点がある。
本発明は上記問題点を解決することを目的とするものである。
【０００４】
【課題を解決するための手段】
上記目的を達成するため、本発明は、下地材側に所定間隔を存して互いに平行に溝を複数設け、該溝に雨水を案内するための凹入部を有する長尺状のガーターを嵌合固定配置し、前記下地材上に複数の長尺帯状の外囲板をその側部が隣接する外囲板の側部と前記ガーター内で所定の間隔を存して対向するように配置し、前記下地材側に前記外囲板を支える板端受け部を有する吊子を固定し、該吊子に前記ガーター内に位置させて係止片を設け該係止片に前記外囲板の側部を係合し、前記外囲板の側部上に蓋体を配置し、該蓋体に栓体を設け、該栓体を前記外囲板の側部間に密嵌配置し、前記外囲板の平坦面と前記蓋体の上面とで略平坦な外囲面を形成する外囲体において、前記蓋体上に保持具を配置し、該保持具を前記蓋体にビス止めし、前記保持具に構造物を構築したものである。
【０００５】
【発明の実施の形態】
以下に本発明の実施の形態を添付した図面を参照して詳細に説明する。
図１において、符号２は、屋根や外壁などの下地材であり、合板などの野地板により構成されている。下地材２には、図１中、紙面垂直方向、即ち、勾配屋根の棟から軒先に向かった雨水の流れる方向、に延びる溝４が複数所定間隔を存して並列状に形成されている。６は、アルミなどの長尺状金属板から成るガーターであり、アスファルトルーフィングなどの防水シートの上から前記溝４に、その全長に亘って嵌合配置されている。前記ガーター６には、雨水を別途に設けられた雨樋に案内するための凹入部８と、ガーター６を前記下地材２にビス止めするための前記凹入部８の両側に形成された取付部１０，１０と、前記凹入部８の略中央に突設された断面三角形の凸部と幅狭状の首部とから成る係合受け部１２と、該係合受け部１２の両側に位置して互いに平行に立設された一対の立ち上がり部１４，１４と、該立ち上がり部１４，１４の上部に、前記下地材２の上面と略同一高さとなるように、前記凹入部８の底面に対して略水平に固設された板端受け部１６，１６とがそれぞれガーター６の全長に亘って形成されている。
【０００６】
ガーター６の取付部１０は、溝４の両側の、下地材２の上面に当接配置され、ビス１８によって下地材２に固定されている。２０は、ステンレスその他の長尺状金属部材から成る蓋体であり、その係合部２２には、前記係合受け部１２を受け入れる中空部と、該中空部に係合受け部１２を導き、該係合受け部１２の下面と係合する開口部とが形成されている。また、前記蓋体２０の係合部２２の上部には、これの両側に位置して、ステンレスなどの金属製屋根板などの外囲板２６を押圧するための押さえ部２４が形成されている。図１中、紙面垂直方向に延びる長尺帯状の外囲板２６，２６は、下地材２上に、各溝４に沿って、用意され、溝４を挟んだ一対の外囲板２６，２６は、各外囲板２６，２６の側部が対応するガーター６の板端受け部１６，１６上に載置される。溝４を挟んだ一対の外囲板２６，２６の側部の対向部には、図１に示すように、蓋体２０の係合部２２が挿入され、該係合部２２がガーター６の係合受け部１２に圧入される。該状態において、蓋体２０の係合部２２の開口部が係合受け部１２の凸部の下面と係合し、蓋体２８がガーター６に係止される。これにより、一対の外囲板２６，２６の、溝４を挟んで互いに対向する側部は、蓋体２０の押さえ部２４，２４と、板端受け部１６，１６とで、図示の如く、挟圧保持される。下地材２の他の溝に配置された一対の外囲板の互いに対向する側部も、図１に示す構成によって、蓋体２０の押さえ部２４とガーター６の板端受け部１６とで挟圧保持され、全体としてフラット状の外囲面を有する屋根などの外囲体を構成する。
【０００７】
図２において、２８，３０は、太陽電池パネルセット３２保持用の保持具であり、略６ｃｍ幅の短尺状の金属製の帯板から成り、保持貝２８は、下地材２の太陽電池パネルセット配置エリアの端部に配置され、保持具３０は、該エリアの中間部に配置されるように構成されている。太陽電池パネルセット配置エリア端部配置用の保持具２８には、下位水平部３４と、中間水平部と上位水平部とが図示の如く屈折形成され、中間部配置用の保持具３０には、下位水平部３８，３８と、中間水平部４０，４０と上位水平部とが図示の如く屈折形成されている。前記端部配置用保持貝２８と中間配置用保持貝３０は、図２に示すを存して前記ガーター６上に配置され、各々の下位水平部３４，３８がビス４２によって、蓋体２０の上から、ガーター６の板端受け部１６に固定されている。保持貝28と保持具30の片側間には枠部44の付いた太陽電池パネルセット３２2が配置され、太陽電池パネルセット３２の一方側は、端部用保持具２８のコ字状保持部３６に嵌合支承され、太陽電池パネルセット３２の他方側は、保持貝３０の頂部にビス止めされた長尺板状の押さえ金物４６と中間水平部４０間に形成されたコ字状保持部に支承されている。エリア中間配置用の保持貝３０の他方側も、他の中間配置用保持具（図示省略）との問に太陽電池パネルセット３２を支承している。太陽電池パネルセット３２は、下地材２上に例えば、横方向３０枚、縦方向４枚合計１２０枚、下地材２上にマトリックス状に配列され、各太陽電池パネルセット３２は、各々、４点位置で保持具２８，３０によって支承されるように構成されている。
【０００８】
４８は屋根の水下部に設けられた軒先カバーであり、これと一体的な保持貝５０がガーター６の板端受け部１６にビス止めされている。保持貝２８，３０，５０の下位水平部は、ガーター６の板端受け部１６にビス止めした構成となっているが、保持貝２８，３０，５０を蓋体２０の押さえ部２４にビス止めしても良い。保持具を蓋体１０の押さえ部２４に固定することにより、保持貝２８，３０，５０は、蓋体２０、ガーター６を介して下地材２側に係止される。
前記押さえ金物４６は、太陽電池パネルセット３２の端部の２位置を支持する一対の保持貝３０，３０間に架設され、図１に示すように、両端部に折り曲げ部５２が形成されている。この折り曲げ部５２は太陽電池パネルセット３２の枠部４４の側面に密着し、太陽電池パネルセット３２の、図１中、左右方向、即ち溝４の長手方向に対して直角の方向のズレを防止している。太陽電池パネルセット３２の太陽電池パネル５４の下側には、空間部が形成されている。この空間部によって太陽電池パネル５４への外囲板２６面からの加熱が遮断されるとともに、太陽電池パネル５４のコネクタ部に接続するケーブルの配置スぺ−スを確保することができる。
【０００９】
上記した構成において、外囲板２６，板端受け部１６のビス貫通部から浸入した雨水は、ガーター６内に落下し、雨樋に案内される。
次に図３を参照して、保持具をガーター上の蓋体にビス止めする実施形態について説明する。
５６は屋根などの、野地板などから成る下地材、５８は樹脂発泡材などから成るバックアップ下地材、６２はバックアップ下地材５８に形成された溝６０に嵌合配置された雨水案内用のガーターであり、防水ゴムパッキン６４を介してビス６６により下地材５６に固定されている。６８，６８はステンレス鋼などから成る外囲板であり、ガーター６２を境として隣接する側部がガーター６２内で対向し、該外囲板６８の側部に形成された凸曲部７０がガーター６２の係止片７２に係合している。外囲板６８，６８の側部間には長尺状の蓋体７４が嵌合配置され、蓋体７４の凸曲部と外囲板６８側の凸曲部７０とが嵌合し、蓋体７４が容易に外囲板６８，６８の側部から外れないように構成されている。前記蓋体７４には、太陽電池パネルセット（図示省略）を保持するための保持具７６がビス７８により固定されている。
【００１０】
上記した構成において、保持具７６と蓋体７４との間のビス止め部から雨水が浸入しても、この雨水はガーター６２内に落下し、所定の雨水処理部に案内される。
次に図４を参照して、構造物保持用の保持具をガーター上の蓋体にビス止めする他の実施形態について説明する。８０は屋根などの、野地板などから成る下地材、８２は樹脂発泡材などから成るバックアップ下地材、８４はバックアップ下地材８２に形成された溝８６に嵌合配置された雨水案内用のガーター、８８はアルミ材から成る吊り子であり、ビス９０により下地材８０に固定されている。９２，９２はステンレス鋼などから成る長尺状の、紙面垂直方向に延びる外囲板であり、ガーター８４を境として隣接する一対の外囲板９２，９２の側部９４，９４がガーター８４内で対向し、図示するように、吊り子８８に形成された板端受け部に支持されている。該外囲板９２の側部９４に形成された屈折部９６が吊り子８８の係止片９８に前記ガーター８４内で係合している。一対の外囲板９２，９２の側部９４，９４間には長尺状の金属製の蓋体１００が嵌合配置され、蓋体１００に固着された合成樹脂製の栓体１０２がゴム体１０４を介して外囲板９２，９２の側部９４，９４間に密嵌し、その摩擦力によって蓋体１００が容易に外囲板９２，９２の側部９４，９４から外れないように構成されている。
【００１１】
前記蓋体１００には、太陽電池パネルセット（図示省略）を保持するための保持具１０６がビス１０８により固定されている。
上記した構成において、保持具１０６と蓋体１００との問のビス止め部から雨水が浸入しても、この雨水はガーター８４内に落下し、所定の雨水処理部に案内される。
次に図５を参照して保持具をガーター上の板端受け部にビス止めする実施形態について説明する。
２は屋根の下地材であり、合板により構成されている。下地材２には建物の棟（頂部）から軒に向かって溝４が複数並列状に形成されている。前記各溝４にはそれらの全長にわって長尺状の鋼板などから成るガター６の凹入部が、下地材６上に敷設された防水シート（図示省略）の上から嵌合配置され、該ガター6の左右の水平部はビス１８によって下地材2に固着されている。
【００１２】
前記各ガター６内には短尺状の鋼板などから成る吊子１１０が配置され、該吊子１１０の左右の水平部は、ビス１１２によって前記ガター６の水平部の上から下地材２に固着されている。前記吊子１１０は凹入部１１０ａを有し、該凹入部１１０ａがガター６の凹入部６ａに嵌合配置されている。吊子１１０の底部の中央には溝4の深さと略同一の高さの立ち上り部１１０ｂが立設され、この立ち上り部１１０ｂの頂部には水平方向に左右に延びる板端受け部１１０ｃが形成されている。１１４は長尺帯状の鋼板などから成る屋根板などの外囲板であり、一側部に外囲板本体の下面側に折り曲げた横Ｕ字状部１１４ｂが形成され、他側部に外囲板本体の上面側に折り曲げた横Ｕ字状部114cが形成されている。前記外囲板１１０の右側に配置された外囲板１１４をＧＲ、左側の外囲板１１４をＧＬと称する。屋根を右から左へ葺く場合には、図５に示すように、外囲板ＧＲの本体を、吊子１１０の右側の下地材２上に配置し、外囲板ＧＲの左側の横Ｕ字状部１１４ｃを吊子１１０の係止部１１０ｃの右側の下に配置する。
【００１３】
次に、他の外囲板ＧＬの本体を、吊子１１０の左側の下地材２上に配置し、その右側の横Ｕ字状部１１４ｂを、吊子１１０の板端受け部１１０ｃの上から、右隣の外囲板ＧＲの、横Ｕ字状部１１４ｃに差し込む。これにより、一方の外囲板ＧＲの左側と他方の外囲板ＧＬの右側は、吊子１１０の板端受け部１１０ｃに係合し、両者は互いに結合する。次に他方の外囲板ＧＬの左側の横Ｕ字状部１１４ｃを、左隣の吊子（図示省略）の係止部の下に配置する。次に、他方の外囲板ＧＬの左側に、他の外囲板を配置し、上記した手順で、この外囲板の右側を他方の屋根板ＧＬの左側に係合する。このようにして、順次外囲板を、右から左に葺いてゆくことができる。
【００１４】
【発明の効果】
本発明は上述の如く構成したので、建物のフラットな外囲面に、構造物の保持具を、雨水が下地材に浸入しないようにビス止めすることができる。
【図面の簡単な説明】
【図１】本発明であるフラット状外囲体の要部の断面図である。
【図２】あーあ線断面図である。
【図３】本発明の他の実施形態を示す断面図である。
【図４】本発明の他の実施形態を示す断面図である。
【図５】本発明の他の実施形態を示す断面図である。
【符号の説明】
２      下地材
４      溝
６      ガーター
８      凹入部
１０      取付部
１２    係合受け部
１４    立ち上がり部
１６    板端受け部
１８    ビス
２０    蓋体
２２    係合部
２４    押さえ部
２６    外囲板
２８    保持具
３０    保持具
３２    太陽電池パネルセット
３４    下位水平部
３６    コ字枠部
３８    下位水平部
４０    中間水平部
４２    ビス
４４    枠部
４６    押さえ金物
４８    軒先カバー
５０    保持具
５２    折り曲げ部
５４    太陽電池パネル
５６    下地材
５８    下地材
６０    溝
６２    ガーター
６４    パッキン
６６    ビス
６８    外囲板
７０    凸曲部
７２    係止片
７４    蓋体
７６    保持具
７８    ビス
８０    下地材
８２    下地材
８４    ガーター
８６    溝
８８    吊り子
９０    ビス
９２    外囲板
９４    側部
９６    屈折部
９８    係止片
１００  蓋体
１０２  栓体
１０４  ゴム体
１０６  保持具
１０８  ビス
【図１】
0003987743.tif 000002
【図２】
0003987743.tif 000003
【図３】
0003987743.tif 000004
【図４】
0003987743.tif 000005
【図５】
0003987743.tif 000006